(57)【要約】【課題】  複数の原稿束をコピーする場合に、ユーザの拘束時間と操作回数の減少によりユーザへの負担軽減を図った画像形成装置を提供する。【解決手段】  ユーザが、複数の原稿束をセットし、操作パネル２により原稿束を構成する原稿枚数、印刷部数、印刷モード等を設定すると、画像読取部３２によって複数の原稿束から原稿画像が読み取られ、設定された印刷モード、印刷部数に従って画像出力部４により原稿画像が用紙に印刷される。【選択図】      図１
2005045624.tif 000002
【特許請求の範囲】
【請求項１】
複数の原稿束から複数の原稿画像を読み取る読取手段と、
前記複数の原稿束に対する印刷条件を設定する設定手段と、
前記複数の原稿画像を前記印刷条件に従って用紙に印刷する印刷手段とを備えたことを特徴とする画像形成装置。
【請求項２】
前記設定手段は、前記複数の原稿束に対して原稿束毎に個別に前記印刷条件を設定可能に構成されていることを特徴とする請求項１記載の画像形成装置。
【請求項３】
前記設定手段は、前記原稿束を構成する原稿枚数を入力する枚数入力手段と、印刷部数を入力する部数入力手段と、前記複数の原稿画像の印刷モードを選択するモード選択手段とを備えたことを特徴とする請求項１記載の画像形成装置。
【請求項４】
前記印刷モードは、片面印刷モード、両面印刷モード、ステープルモードおよびＮｉｎ１モードを含むことを特徴とする請求項３記載の画像形成装置。
【請求項５】
前記モード選択手段は、前記印刷部数毎に出力するか、一部ずつ出力するかを選択する出力選択手段を備えたことを特徴とする請求項３記載の画像形成装置。
【請求項６】
前記モード選択手段は、前記原稿束毎あるいは前記印刷部数単位で一括して後処理するかを選択する後処理単位選択手段を備えたことを特徴とする請求項３記載の画像形成装置。
【発明の詳細な説明】
【技術分野】
【０００１】
本発明は、デジタル複写機，プリンタ，ファクシミリ，複合機等の画像形成装置に関し、特に、複数の原稿束をコピーする場合に、ユーザの拘束時間と操作回数の減少によりユーザへの負担軽減を図った画像形成装置に関する。
【背景技術】
【０００２】
近年、大量コピーの要求から自動原稿送り装置（ＡＤＦ）が一回で処理可能な原稿枚数は増加しており、１００枚、２００枚といった大量の原稿を一括処理可能となってきている。しかし、一般的に１回にコピーする原稿枚数は、必ずしもこのようなＡＤＦの性能をフルに活用するほど多くないのが現状である。
【０００３】
このようなＡＤＦを有する従来の画像形成装置は、ユーザが原稿束毎に印刷枚数や印刷モードを設定している（例えば、特許文献１参照。）。
【特許文献１】特開２０００−５６６２８号公報（図１）
【発明の開示】
【発明が解決しようとする課題】
【０００４】
しかし、従来の画像形成装置によると、複数の原稿束がある場合、原稿束単位毎にコピー起動操作を行うため、複数の原稿束をまとめてコピーすることはできない。また、複数の原稿束をコピーする場合に、原稿束毎にコピー開始動作を繰り返す必要があるため、最終の原稿束のコピー開始操作を実施するまで、ユーザは画像形成装置の前から離れることができない。また、ユーザのコピー開始操作回数がコピーする原稿束の数だけ必要であり、特に印刷部数を複数部数設定した場合はユーザが画像形成装置の前にいる時間が長くなる。
【０００５】
一方、印刷動作中でも次の文書の原稿読み込み動作を実施できる画像形成装置によれば、ユーザが画像形成装置の前にいる時間は減少するが、原稿読み込み中は次の原稿セットおよび読み込み指示ができないため、原稿枚数や文書数によってはユーザが長時間画像形成装置の前にいる必要がある。また、コピーする原稿束の数だけコピー開始操作が必要であり、ユーザの手間はかなりかかっている。また、複数の原稿束を異なる画像形成モードで読み込ませ、全ての原稿束を読み込ませた後で、一括してプリントを行おうとする場合は、全ての原稿束の読み込みが終了するまでユーザは画像形成装置の前にいる必要がある。
【０００６】
従って、本発明の目的は、複数の原稿束をコピーする場合に、ユーザの拘束時間と操作回数の減少によりユーザへの負担軽減を図った画像形成装置を提供することにある。
【課題を解決するための手段】
【０００７】
本発明は、上記目的を達成するため、複数の原稿束から複数の原稿画像を読み取る読取手段と、前記複数の原稿束に対する印刷条件を設定する設定手段と、前記複数の原稿画像を前記印刷条件に従って用紙に印刷する印刷手段とを備えたことを特徴とする画像形成装置を提供する。
【０００８】
この構成によれば、ユーザが設定手段により複数の原稿束に対して印刷条件を設定すると、印刷手段は、読取手段によって複数の原稿束から読み取られた複数の原稿画像を印刷条件に従って印刷する。
【発明の効果】
【０００９】
本発明の画像形成装置によれば、ユーザは、複数の原稿束に対して印刷条件を１回設定することにより、各原稿束に対して印刷条件に従った印刷が行われるので、複数の原稿束をコピーする場合に、ユーザの拘束時間と操作回数の減少によりユーザへの負担軽減を図ることができる。
【発明を実施するための最良の形態】
【００１０】
図１は、本発明の第１の実施の形態に係る画像形成装置が適用されたデジタル複写機のブロック図を示す。このデジタル複写機は、このデジタル複写機全体を制御するコントローラ１と、ユーザの操作によってＮｕｐ（Ｎｉｎ１と同義）の設定等の各種の入力が可能な操作パネル２と、原稿から画像を読み取って入力する画像入力部３と、用紙に画像を印刷して出力する画像出力部４とを有する。
【００１１】
操作パネル２は、原稿の読み取り開始を指示するスタートボタン、コピーや通信作業を中止するストップボタン等の複数のボタンの他、タッチパネルディスプレイを備える。タッチパネルディスプレイは、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００１２】
画像入力部３は、原稿が１枚ずつ載置される原稿台３４と、原稿束を自動的に１枚ずつ原稿台３４に供給するＡＤＦ（自動給紙装置）３０と、ＡＤＦ３０から供給された原稿のサイズと向きを検出する原稿センサ３１と、ＣＣＤ（Charge Coupled Device）等の固体撮像素子によって原稿の画像を指定された読取倍率で光学的に１枚ずつ読み取る画像読取部３２と、この画像入力部３の各部を制御し、コントローラ１との間で情報の送受信を行う入力制御部３３とを備えている。
【００１３】
画像出力部４は、用紙を印刷位置まで供給する用紙供給部４０と、印刷位置に供給された用紙に画像を、例えば、電子写真プロセス方式により印刷する印刷部４１と、両面印刷する場合に用紙を反転する用紙反転部４２と、印刷された用紙を綴じるステープル部４３と、印刷された用紙を排紙する排紙部４５と、この画像出力部４の各部を制御し、コントローラ１との間で情報の送受信を行う出力制御部４４とを備える。電子写真プロセスは、感光体に対する帯電，現像，クリーニングを繰り返すことにより実現される。すなわち、感光体の表面を帯電器によって一様に帯電させた後、画像データに従って感光体の表面を露光して静電潜像を形成し、現像器によって静電潜像をトナー像とした後、用紙供給部４０から供給された用紙上にトナー像を転写する。その後、加熱溶融・圧着作用によってトナー像を用紙上に定着して外部に排出する。転写後の感光体の表面は、残留トナーをクリーナによって除去した後、次の現像プロセスに供される。
【００１４】
コントローラ１は、操作パネル２、画像入力部３および画像出力部４との間で情報の送受信をそれぞれ行う操作パネル部Ｉ／Ｆ１０、画像入力部入力部Ｉ／Ｆ１１および画像出力部Ｉ／Ｆ１２と、画像をページ単位で記憶するページメモリ１３と、プログラムや画像等のデータを記憶するシステムメモリ１４と、２部以降の印刷のために画像を記憶するＨＤＤ１５と、システムメモリ１４に記憶されたプログラムに基づいてコントローラ１の各部を制御するとともに、このデジタル複写機全体を制御するメインＣＰＵ１６と、画像データの圧縮、伸長、合成等の画像処理を行う画像処理部１７とを備える。
【００１５】
画像処理部１７は、入力された複数の原稿画像を１つの原稿束を構成する原稿枚数（以下「分割原稿枚数」という。）毎に分割し、分割した原稿画像単位で合成等の画像処理を行うようになっている。
【００１６】
図２は、操作パネル２のタッチパネルディスプレイに表示される画面の一例を示す。図２（ａ）は、原稿束分割コピー選択画面を示す。この原稿束分割コピー設定画面２０ａには、各設定を中止する取り消しキー２１ａと、機能選択画面に戻す閉じるキー２１ｂと、原稿束分割コピー非選択キー２２ａと、原稿束分割コピー選択キー２２ｂと、コピー部数を表示する設定部数表示部２３とが表示される。
【００１７】
図２（ｂ）は、原稿束分割コピー設定画面２０ａにおいて原稿束分割コピー選択キー２２ｂを押下したときに表示される出力形態選択画面２０ｂを示す。この出力形態選択画面２０ｂには、図２（ａ）で示したキー以外に、分割原稿枚数を表示する分割原稿枚数表示部２４と、分割原稿枚数を設定する枚数選択キー２５ａ、２５ｂと、出力順序選択キー２６ａ、２６ｂと、後処理単位選択キー２７ａ、２７ｂとが表示される。
【００１８】
ユーザが上方の枚数選択キー２５ａを押下すると、分割原稿枚数が増加し、分割原稿枚数表示部２４に表示される枚数表示が増加する。これとは逆に、ユーザが下方の枚数選択キー２５ｂを押下すると、分割原稿枚数が減少し、分割原稿枚数表示部２４に表示される枚数表示が減少するようになっている。
【００１９】
上方の出力順序選択キー２６ａは、印刷した用紙を設定部数毎に出力することを選択するキーであり、下方の出力順序選択キー２６ｂは、印刷した用紙を一部ずつ出力することを選択するキーである。上方の後処理単位選択キー２７ａは、原稿束毎に印刷された用紙をステープルで綴じる分割原稿枚数毎の処理を選択するキーであり、下方の後処理単位選択キー２７ｂは、各部単位で全ての原稿束を一括してステープルで綴じる全原稿一括処理を選択するキーである。
【００２０】
次に、この第１の実施の形態の全体動作を説明する。
【００２１】
（１）原稿のセット
図３は、この第１の実施の形態に係る原稿を示す。第１乃至第３の原稿束５ａ，５ｂ，５ｃは、それぞれ同数（例えば３枚）の原稿Ｇからなるものとする。ユーザが図３に示す原稿ＧをＡＤＦ３０上にセットする。
【００２２】
（２）印刷モードの選択
ユーザは、メインスイッチをオンにすると、コントローラ１のメインＣＰＵ１６は、操作パネル２のタッチパネルディスプレイに機能選択画面を表示する。ユーザが機能選択画面から印刷モード、本実施例では原稿束分割モードを選択すると、メインＣＰＵ１６は、原稿束分割コピー設定画面２０ａをタッチパネルディスプレイに表示する。次に、ユーザは、原稿束分割コピー設定画面２０ａの原稿分割コピー選択キー２２ｂを押下すると、メインＣＰＵ１６は、タッチパネルディスプレイに出力形態選択画面２０ｂを表示する。この出力形態選択画面２０ｂに対してユーザが設定部数（例えば、２）をテンキーにより入力すると、設定部数表示部２３に「２」が表示される。
【００２３】
（３）出力形態の選択
図４は、第１の出力例を示す。ユーザが、出力形態選択画面２０ｂから枚数選択キー２５ａまたは２５ｂを押下して分割原稿枚数を３枚と指定する。また、ユーザは、出力順序選択キー２６ａを押下して設定枚数毎に出力するように設定し、後処理単位選択キー２７ａを押下して分割原稿枚数毎に処理されるように設定したとする。
【００２４】
（４）印刷
次に、ユーザが操作パネル２のスタートボタンを押下すると、ＡＤＦ３０は第１乃至第３の原稿束５ａ、５ｂ，５ｃを原稿台３４に各原稿束を構成する原稿を１枚ずつ供給する。画像読取部３２は、ＡＤＦ３０から供給される第１乃至第３の原稿束５ａ、５ｂ，５ｃから、原稿画像を順次読み取る。入力制御部３３は、画像読取部３２によって読み取られた原稿画像を、画像入力部Ｉ／Ｆ１１を介してコントローラ１に送る。その原稿画像は、ページメモリ１３に一時的に記憶され、画像処理部１７によって圧縮され、ＨＤＤ１５に蓄積される。次に、圧縮された原稿画像がＨＤＤ１５から読み出され、画像処理部１７によって伸長され、画像出力部Ｉ／Ｆ１２を介して出力制御部４４に供給される。
【００２５】
次に、出力制御部４４は、コントローラ１のメインＣＰＵ１６との通信により分割原稿枚数毎に設定された印刷条件に従って以下のように印刷する。印刷部４１は、用紙供給部４０から用紙の供給を受け、図４（ｂ）に示すように、出力制御部４４から供給を受けた第１の原稿束５ａの１枚目の原稿画像Ａ１を第１の用紙束６ａの１枚目の表側に印刷する。出力制御部４４は、印刷が終わったことを検出すると、用紙を用紙反転部４２により反転し、印刷部４１に再び供給する。印刷部４１は、第１の原稿束５ａの２枚目の原稿画像Ａ２を第１の用紙束６ａの１枚目の裏側に印刷する。出力制御部４４は、印刷が終わったことを検出すると、排紙部４５により用紙を排紙する。次に、用紙供給部４０により新しい用紙が供給されると、印刷部４１は、第１の原稿束５ａの３枚目の原稿画像Ａ３を第１の用紙束６ａの２枚目の表側に印刷する。出力制御部４４は、印刷が終わったことを検出すると、第１の原稿束５ａについての印刷が終了したことになるため、排紙部４５により用紙を排紙し、印刷された第１の用紙束６ａをステープル７により綴じる。以上で、第１の原稿束５ａの１部目の印刷、ステープル処理が終了する。
【００２６】
次に、第１の原稿束５ａについての２部目の印刷は、ＨＤＤ１５に蓄積した画像データを利用して１部目への印刷と同様の動作で行われる。次に、第２の原稿束５ｂ、第３の原稿束５ｃについても第１の原稿束５ａと同様にそれぞれ２部ずつ印刷およびステープル処理を行う。すなわち、第２の原稿束５ｂの原稿画像Ｂ１，Ｂ２，Ｂ３が第３および第４の用紙束６ｃ，６ｄの２部に印刷され、ステープル処理される。次に、第３の原稿束５ｃの原稿画像Ｃ１，Ｃ２，Ｃ３が第５および第６の用紙束６ｅ，６ｆの２部に印刷され、ステープル処理される。
【００２７】
図５は、第２の出力例を示す。この第２の出力例は、第１の出力例とは、図５（ａ）に示すように、出力順序選択キー２６ｂが押下されて出力順序が一部ずつ出力するように設定されている点が異なる。従って、図５（ｂ）に示すように第１乃至第３の原稿束５ａ，５ｂ，５ｃの原稿画像Ａ１，Ａ２，Ａ３，Ｂ１，Ｂ２，Ｂ３，Ｃ１，Ｃ２，Ｃ３が１部目の用紙束６ａ，６ｂ，６ｃの順にそれぞれ印刷、ステープル処理され、次いで、同様に第１乃至第３の原稿束５ａ，５ｂ，５ｃの原稿画像が２部目の用紙束６ｄ，６ｅ，６ｆの順に印刷、ステープル処理される。
【００２８】
図６は、第３の出力例を示す。この第３の出力例は、第１の出力例とは、図６（ａ）に示すように、出力順序選択キー２６ｂが押下されて出力順序が１部ずつ出力するように設定され、後処理単位選択キー２７ｂが押下されて後処理単位は全原稿一括処理されるように設定されている点が異なっている。従って、図６（ｂ）に示すように、第１乃至第３の原稿束５ａ，５ｂ，５ｃの原稿画像Ａ１，Ａ２，Ａ３，Ｂ１，Ｂ２，Ｂ３，Ｃ１，Ｃ２，Ｃ３が１部目の第１の用紙束６ａに印刷され、これらが一括してステープル処理される。第２の用紙束６ｂは、同様に第１乃至第３の原稿束５ａ，５ｂ，５ｃの原稿画像が２部目の第２の用紙束６ｂに印刷され、これらが一括してステープル処理される。
【００２９】
図７は、第４から第６の出力例を示す。第１乃至第３の原稿束５ａ，５ｂ，５ｃの原稿枚数は、各３枚であるので、分割原稿枚数は３枚に設定され、設定部数は１部に設定されているものとする。
【００３０】
図７（ａ）は、第４の出力例を示す。この第４の出力例は、第２の出力例とは、片面印刷である点、および設定部数が１部に設定されている点が異なる。従って、第１乃至第３の原稿束５ａ，５ｂ，５ｃの原稿画像が用紙束６ａ，６ｂ，６ｃの順にそれぞれ印刷、ステープル処理される。なお、ステープル７により処理をするのに、図７（ａ）に示すように各用紙束をずらしてあるのは、印刷された用紙が３枚であることを示すためであって、実際には各用紙をそろえる。
【００３１】
図７（ｂ）は、第５の出力例を示す。この第５の出力例は、第１乃至第４の出力例とは、４枚の原稿画像を１枚の用紙に配置して印刷する４ｉｎ１に設定されている点が異なる。第１乃至第３の原稿束５ａ，５ｂ，５ｃは、３枚の原稿からなるため、第１乃至第３の用紙束６ａ，６ｅ，６ｆには、それぞれ３枚分の原稿画像原稿画像Ａ１，Ａ２，Ａ３，Ｂ１，Ｂ２，Ｂ３，Ｃ１，Ｃ２，Ｃ３が印刷される。
【００３２】
図７（ｃ）は、第６の出力例を示す。この第６の出力例は、第１乃至第３の出力例とは、両面印刷にする点で共通するが、設定部数が１部である点およびステープル処理を行わない点が異なる。第１の原稿束５ａの１枚目および２枚面の原稿画像Ａ１，Ａ２は、第１の用紙束６ａの１枚目の表面および裏面にそれぞれに印刷され、第１の原稿束５ａの３枚目の原稿画像Ａ３は、第１の用紙束６ａの２枚目の表面に印刷される。第２および第３の原稿束５ｂ，５ｃについても第１の原稿束５ａと同様に第２および第３の用紙束６ｂ，６ｃに印刷される。
【００３３】
本発明の第１の実施の形態によれば、ユーザは、複数の原稿束に対して印刷条件を１回設定するだけで各原稿束の原稿画像が印刷条件に従って印刷されるので、複数の原稿束をコピーする場合に、ユーザの拘束時間と操作回数の減少によりユーザの負担軽減を図ることができる。
【００３４】
図８は、本発明の第２の実施の形態に係る画像形成装置が適用されるデジタル複写機による第１から第４の出力例を示す。この第２の実施の形態は、複数の原稿束に対して各束毎に個別に印刷条件を設定できるようにしたものである。図８（ａ）に示すように、第１の原稿束５ａは４枚の原稿Ｇからなり、第２の原稿束５ｂは２枚の原稿Ｇからなり、第３の原稿束５ｃは３枚の原稿Ｇからなる。
【００３５】
図８（ｂ）は、第１の出力例を示す。この第１の出力例は、それぞれの原稿束５ａ，５ｂ，５ｃについて、印刷条件が異なる。第１の原稿束５ａは、２ｉｎ１で、片面印刷となるように設定される。第２の原稿束５ｂは、片面印刷となるように設定される。第３の原稿束５ｃは、両面印刷となるように設定される。従って、第１の用紙束６ａの１枚目には、第１の原稿束５ａの１枚目および２枚目の原稿画像Ａ１，Ａ２が印刷され、第１の用紙束６ａの２枚目には、第１の原稿束５ａの３枚目および４枚目の原稿画像Ａ３，Ａ４が印刷される。第２の用紙束６ｂの１枚目には、第２の原稿束５ｂの１枚目の原稿画像Ｂ１が印刷され、第２の用紙束６ｂの２枚目には、第２の原稿束５ｂの２枚目の原稿画像Ｂ２が印刷される。第３の用紙束６ｃの１枚目の表面には、第３の原稿束５ｃの１枚目の原稿画像Ｃ１が印刷され、第３の用紙束６ｃの１枚目の裏面には、第３の原稿束５ｃの２枚目の原稿画像Ｃ２が印刷され、第３の用紙束６ｃの２枚目の表面には、第３の原稿束５ｃの３枚目の原稿画像Ｃ３が印刷される。
【００３６】
図８（ｃ）は、第２の出力例を示す。この第２の出力例は、図８（ｂ）の第１の出力例とは、設定部数を２部とし、出力順序選択キー２６ａが押下されて設定部数毎に出力するように設定され、後処理単位選択キー２７ａが押下されて後処理単位は分割原稿枚数毎に処理されるように設定されている点が異なる。従って、第１の原稿束５ａの原稿画像Ａ１，Ａ２，Ａ３，Ａ４は、第１および第２の用紙束６ａ，６ｂに印刷される。第２の原稿束５ｂの原稿画像Ｂ１，Ｂ２は、第３および第４の用紙束６ｃ，６ｄに印刷される。第３の原稿束５ｃの原稿画像Ｃ１，Ｃ２，Ｃ３は、第５および第６の用紙束６ｅ，６ｆに印刷される。
【００３７】
図８（ｄ）は、第３の出力例を示す。この第３の出力例は、図８（ｃ）の第２の出力例とは、出力順序選択キー２６ｂが押下されて出力順序が１部ずつ出力するように設定されている点が異なる。従って、第１乃至第３の原稿束５ａ，５ｂ，５ｃの原稿画像Ａ１〜Ａ４，Ｂ１，Ｂ２，Ｃ１〜Ｃ３が１部目の第１の用紙束６ａ，６ｂ，６ｃの順にそれぞれ印刷、ステープル処理され、次いで、同様に２部目の用紙束６ｄ，６ｅ，６ｆの順に印刷、ステープル処理される。
【００３８】
図８（ｅ）は、第４の出力例を示す。この第４の出力例は、図８（ｄ）の第３の出力例とは、出力順序選択キー２６ｂが押下されて一部ずつ出力するように設定され、後処理単位選択キー２７ｂが押下されて後処理単位は全原稿一括して処理されるように設定されている点が異なる。従って、第１乃至第３の原稿束５ａ，５ｂ，５ｃの原稿画像原稿画像Ａ１〜Ａ４，Ｂ１，Ｂ２，Ｃ１〜Ｃ３が１部目の第１の用紙束６ａに印刷され、これらが一括してステープル処理される。第１乃至第３の原稿束５ａ，５ｂ，５ｃの原稿画像が２部目の第２の用紙束６ｂに印刷され、これらがステープル処理される。
【００３９】
本発明の第２の実施の形態によれば、各原稿束に対して個別に印刷条件を設定できるので、原稿束毎に印刷条件が異なる場合でもユーザの負担軽減を図ることができる。
【００４０】
なお、上記実施の形態では、本発明の画像形成装置をデジタル複写機に適用した場合について説明したが、プリンタ，ファクシミリ，複合機等の他の装置に適用してもよい。
また、上記実施の形態では、ＡＤＦにより原稿を自動的に供給したが、プラテン上に１枚ずつ原稿を載置して画像を読み取ってもよい。
また、複数のパーソナルコンピュータ（ＰＣ）をネットワークを介して共通の画像形成装置に接続し、ＰＣから画像形成装置に印刷条件、印刷指示や画像転送を行ってもよい。これにより、遠隔操作により効率的なコピーを行うことができる。
【図面の簡単な説明】
【００４１】
【図１】本発明の第１の実施の形態に係る画像形成装置が適用されたデジタル複写機のブロック図を示す。
【図２】本発明の第１の実施の形態に係るデジタル複写機の操作パネルのタッチパネルディスプレイに表示される画面の一例を示し、（ａ）は原稿束分割コピー選択画面を示す図、（ｂ）は出力形態選択画面を示す図である。
【図３】本発明の第１の実施の形態に係るデジタル複写機に読み取らせる原稿を示す図である。
【図４】本発明の第１の実施の形態に係るデジタル複写機による第１の出力例を示す図であり、（ａ）は出力形態選択画面を示す図、（ｂ）は出力される用紙束を示す模式図である。
【図５】本発明の第１の実施の形態に係るデジタル複写機による第２の出力例を示す図であり、（ａ）は出力形態選択画面を示す図、（ｂ）は出力される用紙束を示す模式図である。
【図６】本発明の第１の実施の形態に係るデジタル複写機による第３の出力例を示す図であり、（ａ）は出力形態選択画面を示す図、（ｂ）は出力される用紙束を示す模式図である。
【図７】本発明の第１の実施の形態に係るデジタル複写機による第４から第６の出力例を示す図であり、（ａ）は第４の出力例を示す図、（ｂ）は第５の出力例を示す図、（ｃ）は第６の出力例を示す図である。
【図８】本発明の第１の実施の形態に係る画像形成装置が適用されたデジタル複写機による第１から第４の出力例を示す図であり、（ａ）は読取対象の原稿を示す図、（ｂ）は第１の出力例を示す図、（ｃ）は第２の出力例を示す図、（ｄ）は第３の出力例を示す図、（ｅ）は第４の出力例を示す図である。
【符号の説明】
【００４２】
１  コントローラ
２  操作パネル
３  画像入力部
４  画像出力部
５ａ，５ｂ，５ｃ  原稿束
６ａ〜６ｆ  用紙束
７  ステープル
１０  操作パネル部Ｉ／Ｆ
１１  画像入力部入力部Ｉ／Ｆ
１２  画像出力部Ｉ／Ｆ
１３  ページメモリ
１４  システムメモリ
１５  ＨＤＤ
１６  メインＣＰＵ
１７  画像処理部
２０ａ  原稿束分割コピー設定画面
２０ｂ  出力形態選択画面
２１ａ  取り消しキー
２１ｂ  閉じるキー
２２ａ  原稿束分割コピー非選択キー
２２ｂ  原稿束分割コピー選択キ−
２３  設定部数表示部
２４  分割原稿枚数表示部
２５ａ，２５ｂ  枚数選択キー
２６ａ，２６ｂ  出力順序選択キー
２７ａ，２７ｂ  後処理単位選択キー
３１  原稿センサ
３２  画像読取部
３３  入力制御部
３４  原稿台
４０  用紙供給部
４１  印刷部
４２  用紙反転部
４３  ステープル部
４４  出力制御部
４５  排紙部
Ｇ  原稿
【図１】
2005045624.tif 000003
【図２】
2005045624.tif 000004
【図３】
2005045624.tif 000005
【図４】
2005045624.tif 000006
【図５】
2005045624.tif 000007
【図６】
2005045624.tif 000008
【図７】
2005045624.tif 000009
【図８】
2005045624.tif 000010